(57)【特許請求の範囲】
【請求項１】
包装袋の開口部を挟むことによって該包装袋を封止する袋封止用クリップであって、
平面視にてＵ字形状に形成されて互いに対向する一対の挟持部と、
前記一対の挟持部の各々の両端部を互いに連結するヒンジ部と、
前記ヒンジ部の閉じた状態を前記一対の挟持部にて解除可能にロックするロック部と
を備え、
前記一対の挟持部の各々は、一つの中間辺部と該中間辺部の両端から一つの方向に延びる一対の側辺部とから構成され、
前記一対の挟持部の各々における前記両端部では、前記一対の側辺部の間隔が前記ヒンジ部まで大きくなる
ことを特徴とする袋封止用クリップ。
【請求項２】
前記一対の挟持部の各々は、他の前記挟持部と互いに対向する対向面を有し、
互いに対向する前記対向面の少なくとも一方には、該対向面から突出する挟持突部が形成されている
請求項１に記載の袋封止用クリップ。
【請求項３】
前記一対の側辺部に形成された前記挟持突部では、前記ヒンジ部に近くなるにつれて突出量が小さくなる
請求項２に記載の袋封止用クリップ。
【請求項４】
前記挟持突部の断面形状は、円弧状である
請求項２または３に記載の袋封止用クリップ。
【請求項５】
前記ロック部は、前記一対の挟持部における前記中間辺部に形成されて該一対の中間辺部を互いにロックする
請求項１〜４のいずれか一項に記載の袋封止用クリップ。
【請求項６】
前記ロック部は、
前記一対の挟持部の一方に設けられた係止部と、
前記一対の挟持部の他方に設けられた被係止部とから構成される
請求項１〜５のいずれか一項に記載の袋封止用クリップ。
【発明の詳細な説明】
【技術分野】
【０００１】
本発明は、一対のフィルムの各々の縁が溶着されることによって形成された包装袋を封止する袋封止用クリップであって、特に、一対のフィルムが複数の辺にて互いに離れることによって形成される開口部を締めつけて該開口部を封止する袋封止用クリップに関する。
【背景技術】
【０００２】
従来から、例えば特許文献１に記載のように、食品等を収容する袋の開口部を封止するための袋封止用クリップが知られている。図７は、こうした袋封止用クリップの側面構造の一例を示す側面図である。
【０００３】
図７に示されるように、袋封止用クリップ５０では、互いに向い合う一対の挟持杆５１，５２の一端部同士がヒンジ部によって揺動可能に連結される一方、これら挟持杆５１，５２の他端部同士が係止可能に構成されている。そして、このような一対の挟持杆５１，５２の間に袋が挟み込まれた状態で一対の挟持杆５１，５２が係止されると、一対の挟持杆５１，５２において互いに向い合う対向面５１Ｓ，５２Ｓが袋を介して密着するようになる。これによって、一対の挟持杆５１，５２によって袋の開口が封止されるとともに、袋封止用クリップ５０の位置を袋に対して固定することが可能となる。
【先行技術文献】
【特許文献】
【０００４】
【特許文献１】特開２００３−０７２７７８号公報
【発明の概要】
【発明が解決しようとする課題】
【０００５】
ところで、ハムやベーコン等の食品を真空包装する包装袋では、互いに向い合う一対のラミネートフィルムの四辺が互いに溶着されている。そして、このような包装袋から食品が取り出される場合には、まず、包装袋の四隅のうちの一隅とこの一隅で交わる二辺とにおいて、一方のラミネートフィルムが他方のラミネートフィルムから剥がされる。次いで、剥がされた二辺のいずれか一方と繋がる他の一辺においても、さらに一方のラミネートフィルムが他方のラミネートフィルムから剥される。すなわち、包装袋を構成する四辺のうちの三辺においてラミネートフィルムが剥がされ、これによって、食品の取り出しが容易なものとなる。
【０００６】
一方、上述のような一対のラミネートフィルムとは、通常、加熱によって互いに溶着されている。そのため、上述のようにして一旦ラミネートフィルムが剥がされると、これらのラミネートフィルムに熱が加わらない限り、包装袋が再び密封されることはない。それゆえに、密閉されていた食品をすべて使い切れなかった場合には、該食品の乾燥を防止するために、上述した袋封止用クリップによって、包装袋を密閉する必要がある。
【０００７】
この点、特許文献１に記載の袋封止用クリップ５０によれば、上述した一対の挟持杆５１，５２の各々が直線状に形成されるため、確かに、袋の一辺であれば、該袋封止用クリップ５０によって封止することは可能である。しかしながら、一つの隅とこの隅で交わる二辺とにおいてラミネートフィルムが剥がされるとなれば、その二辺を封止するためのクリップが一つの隅で互いに干渉することとなる。
【０００８】
本発明は、こうした実情に鑑みてなされたものであり、一対のフィルムの各々の縁が溶
着されることによって形成された包装袋に対し、該一対のフィルムが複数の辺にて互いに離れることによって形成される開口部を封止することの可能な袋封止用クリップを提供することを目的とする。
【課題を解決するための手段】
【０００９】
この発明における封止クリップは、包装袋の開口部を挟むことによって該包装袋を封止する袋封止用クリップであって、平面視にてＵ字形状に形成されて互いに対向する一対の挟持部と、前記一対の挟持部の各々の両端部を互いに連結するヒンジ部と、前記ヒンジ部の閉じた状態を前記一対の挟持部にて解除可能にロックするロック部とを備え、前記一対の挟持部の各々は、一つの中間辺部と該中間辺部の両端から一つの方向に延びる一対の側辺部とから構成され、前記一対の挟持部の各々における前記両端部では、前記一対の側辺部の間隔が前記ヒンジ部まで大きくなることを要旨とする。
【００１０】
上述したように、互いに対向する一対のフィルムが各々の縁で溶着された包装袋では、通常、以下のような手順によって包装袋の開封が進められる。すなわち、包装袋における一つの隅とこの一隅で交わる二辺とにおいて、一方のフィルムが他方のフィルムから剥がされる。次いで、剥がされた二辺のいずれか一方と繋がる他の一辺においても、さらに一方のフィルムが他方のフィルムから剥される。
【００１１】
この発明によれば、Ｕ字形状に形成された一対の挟持部における各辺部が、該辺部に対応する包装袋の部分を連続して挟持することとなる。それゆえに、包装袋における開口の形状が、一つの中間辺部と一対の側辺部とによって囲まれるような形状であっても、これら一対の挟持部によって包装袋を封止することが可能である。
【００１２】
ところで、上述した挟持部が包装袋を確実に封止するうえでは、各辺部の多くの部位で包装袋が挟持されるように、該各辺部の多くの部位が包装袋の表面上にあることが好ましい。一方、上述した挟持部の両端部、すなわち一対のヒンジ部では、包装袋を挟持することができないため、こうしたヒンジ部は、包装袋の表面上からはみ出ることが好ましい。この点、上述した袋封止用クリップによれば、一対の挟持部の各々における両端部では、一対の側辺部の間隔がヒンジ部まで大きくなる。それゆえに、一対の側辺部の間隔がヒンジ部の付近で大きくなる分、一対のヒンジ部が包装袋の表面上からはみ出ることが容易になるとともに、こうしたヒンジ部から離れた側辺部の部位が包装袋の表面上に配置されやすくもなる。
【００１３】
このように、上記袋封止用クリップによれば、縁の溶着された一対のフィルムが複数の辺にて互いに離れて開口部が形成される場合であっても、こうした開口部を封止することが可能となる。
【００１４】
この発明における封止クリップでは、前記一対の挟持部の各々は、他の前記挟持部と互いに対向面を有し、互いに対向する前記対向面の少なくとも一方には、該対向面から突出する挟持突部が形成されていることが望ましい。
【００１５】
この発明によれば、一対のヒンジ部構造が閉じられた際には、挟持突部によって包装袋の表面が押圧されることになる。このような挟持突部による押圧によれば、挟持部の全体による押圧と比べて、包装袋にて押圧される面積が小さくなる。それゆえに、ロック部のロックによって一対の挟持部の間に作用する押圧力が同じであるという前提では、包装袋の開口部における封止性を高めることが可能である。
【００１６】
この発明における封止クリップは、前記一対の側辺部に形成された前記挟持突部にて、前記ヒンジ部に近くなるにつれて突出量が小さくなることが望ましい。
上述のように、一対の挟持部は、一対のヒンジ部によって互いに連結されている。そのため、挟持突部の突出量がヒンジ部の付近で大きくなる場合には、ヒンジ部を閉じることが困難となる。この点、この発明によれば、一対の側辺部に形成された挟持突部の突出量がヒンジ部に近くなるにつれて小さくなるため、この突出量が小さくなる分、開口部の封止性を確保しつつ、ヒンジ部構造を閉じることを容易にすることが可能となる。
【００１７】
この発明における封止クリップでは、前記挟持突部の断面形状は、円弧状であるようにすることが望ましい。
挟持突部が包装袋を押圧する押圧力を高めるためには、挟持突部と包装袋の表面とが接触する面積を小さくする必要がある。このようにして接触面積を小さくする挟持突部の形状のなかには、例えば、断面形状が楔状を有するもの、あるいは断面形状が台形状を有するものが挙げられる。
【００１８】
この点、この発明によれば、挟持突部の断面形状は、特に、円弧状となるように形成されている。そのため、開口部が封止される際には、包装袋が挟持突部のどの部分と接触するかに因らず、挟持突部の断面において、包装袋が点支持されるようになる。それゆえに、前記開口部を封止する圧力を最大限にまで高めることができる。
【００１９】
この発明における封止クリップでは、前記ロック部は、前記一対の挟持部における前記中間辺部に形成されて該一対の中間辺部を互いにロックすることが望ましい。
この発明によれば、ロック部が一対の中間辺部をロックするため、一対の挟持部をロックするためにロック部に必要とされる力が、所謂梃子の原理によって軽減されることになる。それゆえに、ロック部が側辺部をロックする場合に比べて、ロック部に求められる堅牢性を抑えることができる。
【００２０】
この発明における封止クリップでは、前記ロック部は、前記一対の挟持部の一方に設けられた係止部と、前記一対の挟持部の他方に設けられた被係止部とから構成されることが望ましい。
【００２１】
この発明によれば、ロック部と挟持部とが一体化されている。そのため、ロック部を別途管理する手間を省略することができる。ひいては、ロック部の紛失を抑制することができる。そして、ロック部を挟持部と共に一体成形することができるため、製造コストを抑えることもできる。
【図面の簡単な説明】
【００２２】
【図１】本発明の一実施形態に係る袋封止用クリップの斜視構造を示す斜視図であって、ロック部が開放された状態の袋封止用クリップを正面側から見た構造を示す図。
【図２】袋封止用クリップの斜視構造を示す斜視図であって、ロック部が開放された状態の袋封止用クリップの構造を背面側から見た構造を示す図。
【図３】図１のＢ−Ｂ断面を示す拡大断面図であって、封止面に突設された突状の構造を示す模式図。
【図４】袋封止用クリップにおけるロック部の断面構造を示す断面図であって、ロック部によって袋封止用クリップがロックされた状態を示す図。
【図５】袋封止用クリップが包装袋の開口部を封止する過程を示す図。
【図６】袋封止用クリップが包装袋の開口部を封止した状態を示す図。
【図７】従来の袋封止用クリップが開いている状態を示す側面図。
【発明を実施するための形態】
【００２３】
以下、本発明のおける袋封止用クリップの一実施形態について図１〜図６を参照して説明する。
［全体構造］
図１に示されるように、袋封止用クリップ１には、Ｕ字形状に折り曲げられたかたちを呈する板状の上側挟持部３と、同じくＵ字形状に折り曲げられたかたちを呈する板状の下側挟持部４とが、互いに向い合うように連結されている。
【００２４】
上側挟持部３にてＵ字形状の底辺部には、左右方向に延びる上側中間辺部３Ｍが形成されている。この上側中間辺部３Ｍの外側面には、ロック部２Ｋを構成する楕円板状の係止部３Ｋが連結されている。また、この上側中間辺部３Ｍの左右両端部には、Ｕ字形状の側辺部となる第１上側側辺部３Ａと、同じくＵ字形状の側辺部となる第２上側側辺部３Ｂとが、紙面の手前側から奥側に向けて延びるように連結されている。
【００２５】
このような上側挟持部３を構成する各側面のうち、下側挟持部４と対向する側面である封止面３Ｓには、挟持突部を構成する上側突条３ＰＬが、下側挟持部４に向けて突設されている。この上側突条３ＰＬは、第１上側側辺部３Ａ、上側中間辺部３Ｍ、及び第２上側側辺部３Ｂの略全体にわたる封止面３Ｓの内縁に沿ったＵ字形状に形成されている。
【００２６】
一方、下側挟持部４にてＵ字形状の底辺部には、これもまた左右方向に延びる下側中間辺部４Ｍが形成されている。この下側中間辺部４Ｍの外側面には、ロック部２Ｋを構成する被係止部としての被係止部４Ｋが突設されている。また、この下側中間辺部４Ｍの左右両端部には、Ｕ字形状の側辺部となる第１下側側辺部４Ａと、同じくＵ字形状の側辺部となる第２下側側辺部４Ｂとが、紙面の手前側から奥側に向けて延びるように連結されている。
【００２７】
このような下側挟持部４を構成する各側面のうち、上述した封止面３Ｓと対向する側面である封止面４Ｓには、これもまた挟持突部を構成する下側突条４ＰＬが、上側挟持部３に向けて突設されている。この下側突条４ＰＬは、第１下側側辺部４Ａ、下側中間辺部４Ｍ、及び第２下側側辺部４Ｂの全体にわたるこれもまた封止面４Ｓの内縁に沿ったＵ字形状に形成されている。
【００２８】
これら上側挟持部３及び下側挟持部４は、平面方向から見て互いに同じ大きさを有した相似形であり、また、上側突条３ＰＬ及び下側突条４ＰＬも、互いに同じ大きさを有した相似形である。このような構成からなる上側挟持部３の両端部と下側挟持部４の両端部とは、互いにヒンジ部２Ａ，２Ｂによって連結されている。
【００２９】
左右一対のヒンジ部２Ａ，２Ｂは、これらが閉じた状態にて、上側挟持部３と下側挟持部４とを全体にわたって互いに対向させる。さらに、左右一対のヒンジ部２Ａ，２Ｂは、これらが閉じられた状態にて、上側突条３ＰＬと下側突条４ＰＬとをこれもまた全体にわたって互いに対向させる。そして、上述した左右一対のヒンジ部２Ａ，２Ｂが閉じられた状態にて、被係止部４Ｋが係止部３Ｋによって係止されると、左右一対のヒンジ部２Ａ，２Ｂの閉じられた状態が解除可能にロックされる。
【００３０】
［屈曲部３ＡＥ，３ＢＥ，４ＡＥ，４ＢＥ］
次に、各側辺部３Ａ，３Ｂ，４Ａ，４Ｂが有する各屈曲部の構造について、図２を参照して詳細に説明する。
【００３１】
図２に示されるように、第１上側側辺部３Ａにてヒンジ部２Ａと連結される端部には、屈曲部３ＡＥが折り曲げ形成されている。屈曲部３ＡＥは、上側中間辺部３Ｍとの距離が大きくなるほど、第２上側側辺部３Ｂとの間隔が大きくなるように、第１上側側辺部３Ａの端部にて折り曲げられている。また、第２上側側辺部３Ｂにてヒンジ部２Ｂと連結される端部にも、同じく、屈曲部３ＢＥが折り曲げ形成されている。屈曲部３ＢＥは、これも
また上側中間辺部３Ｍとの距離が大きくなるほど、第１上側側辺部３Ａとの間隔が大きくなるように、第２上側側辺部３Ｂの端部にて折り曲げられている。
【００３２】
一方、第１下側側辺部４Ａにてヒンジ部２Ａと連結される端部には、屈曲部４ＡＥが折り曲げ形成されている。屈曲部４ＡＥは、下側中間辺部４Ｍとの距離が大きくなるほど、第２下側側辺部４Ｂとの間隔が大きくなるように、第１下側側辺部４Ａの端部にて折り曲げられている。また、第２下側側辺部４Ｂにてヒンジ部２Ｂと連結される端部にも、屈曲部４ＢＥが折り曲げ形成されている。屈曲部４ＢＥは、これもまた下側中間辺部４Ｍとの距離が大きくなるほど、第１下側側辺部４Ａとの間隔が大きくなるように、第２下側側辺部４Ｂの端部にて折り曲げられている。
【００３３】
上述した構成によれば、第１上側側辺部３Ａと第２上側側辺部３Ｂとの間隔は、上側中間辺部３Ｍから屈曲部３ＡＥ，３ＢＥまで略一定の封止幅２ＷＳである一方、屈曲部３ＡＥ，３ＢＥでは、ヒンジ部２Ａ，２Ｂまで次第に大きくなる。なお、上側挟持部３と相似形となる下側挟持部４においても、同じく、第１下側側辺部４Ａと第２下側側辺部４Ｂとの間隔は、下側中間辺部４Ｍから屈曲部４ＡＥ，４ＢＥまで略一定の封止幅２ＷＳである一方、屈曲部４ＡＥ，４ＢＥでは、ヒンジ部２Ａ，２Ｂまで次第に大きくなる。そして、一対のヒンジ部２Ａ，２Ｂにおける左右方向の間隔は、上述した封止幅２ＷＳよりも大きい挿入口幅２ＷＪとなっている。
【００３４】
［突条３ＰＬ，４ＰＬ］
次に、各側辺部３Ａ，３Ｂ，４Ａ，４Ｂに形成された各突条の構造について、図２及び図３を参照して詳細に説明する。なお、上述のように、上側突条３ＰＬと下側突条４ＰＬとは、互いに同じ大きさの相似形である。そのため、以下では、下側突条４ＰＬの構造について詳細に説明し、上側突条３ＰＬについてはその説明を割愛する。
【００３５】
図２に示されるように、下側挟持部４の封止面４Ｓには、下側突条４ＰＬが突設されている。この下側突条４ＰＬは、半円球状の断面が該下側突条４ＰＬの延設方向に連続する半円柱状に形成されている。このような構成によれば、封止の対象となる包装袋の開口部が下側突条４ＰＬと上側突条３ＰＬとによって挟持される際に、下側突条４ＰＬと上側突条３ＰＬとのどの部分によって包装袋が挟持されるかに因らず、該包装袋が点支持されるようになる。それゆえに、包装袋を封止する圧力を最大限にまで高めることができる。
【００３６】
図３に示されるように、下側突条４ＰＬは、封止面４Ｓのうち、下側挟持部４の屈曲部４ＡＥには形成されておらず、該屈曲部４ＡＥを除いた領域に突設されている。
下側突条４ＰＬの延設方向と平行な方向において、下側突条４ＰＬの基端４ＳＰとヒンジ部２Ａとは、互いに間隔Ｌ１だけ離間している。また、この基端４ＳＰにて、下側突条４ＰＬは、封止面４Ｓから突出量Ｐ１だけ突出している。これに対して、下側突条４ＰＬの延設方向と平行な方向において、ヒンジ部２Ａから間隔Ｌ２だけ離間した任意点４ＡＰにて、下側突条４ＰＬは、封止面４Ｓから突出量Ｐ２だけ突出している。そして、これら間隔Ｌ１，Ｌ２、及び突出量Ｐ１，Ｐ２との間において下記式（１）が満たされるように、下側突条４ＰＬが形成されている。
【００３７】
Ｌ１：Ｐ１＝Ｌ２：Ｐ２        …式（１）
すなわち、下側突条４ＰＬは、第１下側側辺部４Ａにおいて、ヒンジ部２Ａから離間する距離が大きくなるほど、突出量が大きくなるように形成されている。ちなみに、図４には示されていないが、下側中間辺部４Ｍでは、該下側中間辺部４Ｍとヒンジ部２Ａとが互いに平行であるため、下側突条４ＰＬの突出量が一定となるように、下側突条４ＰＬが突設されている。なお、下側挟持部４のうちで下側中間辺部４Ｍがヒンジ部２Ａから最も離間しているため、該下側中間辺部４Ｍにおける突出量が下側挟持部４の中で最も大きくな
る。
【００３８】
［ロック部２Ｋ］
次に、ロック部２Ｋの構造について、図４を参照して詳細に説明する。
図４に示されるように、上側中間辺部３Ｍの外縁には、楕円板状の係止部３Ｋと上側挟持部３とがヒンジ構造を有する連結部３ＫＪを介して互いに連結されている。係止部３Ｋには、連結部３ＫＪを回転中心として回転する係止部本体３０が設けられている。係止部本体３０の内側面３０ＡＦにおける略中央部からは、内側に向けて延びるロック片３１が突設されている。ロック片３１の先端部には、該ロック片３１の上面３１ＡＦから上側に係止突部３ＫＰが突設されている。また、係止部本体３０の略中央部には、その内側面３０ＡＦと外側面３０ＢＦとを貫通する貫通窓３２が設けられている。
【００３９】
一方、下側中間辺部４Ｍの外縁には、被係止部４Ｋが形成され、また、この被係止部４Ｋにて封止面４Ｓとは反対側の面には、被係止突起４ＫＰが突設されている。他方、下側中間辺部４Ｍの内縁には、該下側中間辺部４Ｍから内側へ突出するように、解除片４ＰＰが設けられている。
【００４０】
そして、一対のヒンジ部２Ａ，２Ｂが開いた状態からこれら一対のヒンジ部２Ａ，２Ｂが閉じられて、その後、連結部３ＫＪが回転中心となるように、係止部本体３０が回転する。この際、係止突部３ＫＰが被係止突起４ＫＰと当接するまで係止部本体３０が回転すると、片持ち梁状のロック片３１が弾性変形して、係止突部３ＫＰの先端が被係止突起４ＫＰの先端を乗り越える。これによって、係止突部３ＫＰの回転が被係止突起４ＫＰに係止されるとともに、一対のヒンジ部２Ａ，２Ｂの閉じられた状態がロックされる。ちなみに、係止突部３ＫＰと被係止突起４ＫＰとの係合状態は、貫通窓３２を通して視認することが可能である。また、上述のようにロックされた状態から被係止突起４ＫＰと解除片４ＰＰとの間を回転中心として被係止突起４ＫＰが回転すると、被係止突起４ＫＰが押し下げられることに伴って被係止突起４ＫＰがロック片３１から離間するようになる。これによって、係止突部３ＫＰの回転が許容されるとともに、一対のヒンジ部２Ａ，２Ｂの閉じられた状態が解除可能になる。
【００４１】
［封止動作］
次に、上述した袋封止用クリップ１の作用を該袋封止用クリップ１による包装袋ＰＧの封止動作に従って説明する。まず、封止の対象となる包装袋ＰＧについて説明する。
【００４２】
図５に示されるように、包装袋ＰＧとは、矩形状の外縁を有する上側フィルムＦＦと、同じく矩形状の外縁を有する下側フィルムＦＢとが、これらの間に内容物Ｃが収容されるように、各々の縁で溶着されることによって形成された袋体である。このような包装袋ＰＧから内容物Ｃが取り出される場合には、まず、包装袋ＰＧの四隅のうちの一隅ＰＡＥとこの一隅ＰＡＥで交わる二つの辺（第１辺ＰＡと中間辺ＰＭ）とにおいて、上側フィルムＦＦが下側フィルムＦＢから剥がされる。次いで、剥がされた中間辺ＰＭとつながる他の一辺（第２辺ＰＢ）においても、さらに上側フィルムＦＦが下側フィルムＦＢから剥される。そして、包装袋ＰＧを構成する四辺のうち、第１辺ＰＡ、中間辺ＰＭ、第２辺ＰＢにおいて上側フィルムＦＦが剥がされ、これによって、内容物の取り出しが容易なものとなる。
【００４３】
このように開封された包装袋ＰＧが袋封止用クリップ１によって封止されるとき、まず、包装袋ＰＧの開口部を構成する三辺のうち、中央の一辺である中間辺ＰＭが、袋封止用クリップ１に向けて配置される。また、包装袋ＰＧの開口部を構成する三辺のうち、第１辺ＰＡは、第１上側側辺部３Ａ及び第１下側側辺部４Ａに沿って配置され、且つ、包装袋ＰＧの開口部を構成する三辺のうち、第２辺ＰＢは、第２上側側辺部３Ｂ及び第２下側側
辺部４Ｂに沿って配置される。そして、このようにして配置された包装袋ＰＧは、上側フィルムＦＦと下側フィルムＦＢとが指などによって仮止めされつつ、矢印ＡＲの方向に向けて、上側挟持部３と下側挟持部４との間に挿入される。
【００４４】
この際、第１上側側辺部３Ａと第２上側側辺部３Ｂとの間隔は、上側中間辺部３Ｍから屈曲部３ＡＥ，３ＢＥまで略一定の封止幅２ＷＳである一方、屈曲部３ＡＥ，３ＢＥでは、ヒンジ部２Ａ，２Ｂまで次第に大きくなる。そして、一対のヒンジ部２Ａ，２Ｂにおける左右方向の間隔は、この封止幅２ＷＳよりも大きい挿入口幅２ＷＪとなっている。そのため、封止幅２ＷＳよりも大きい袋幅Ｗを有する中間辺ＰＭが、一対のヒンジ部２Ａ，２Ｂの間に挿入される際に、ヒンジ部２Ａ，２Ｂが包装袋ＰＧの表面上から外れやすくなるとともに、一対のヒンジ部２Ａ，２Ｂとの接触によって包装袋ＰＧが強制的に折り曲げられることを抑えることが可能となる。
【００４５】
そして、包装袋ＰＧの中間辺ＰＭが下側突条４ＰＬよりも図５の紙面奥側へ挿入されると、一対のヒンジ部２Ａ，２Ｂが閉じられて、その後、図６に示されるように、上述したロック部２Ｋによって、一対のヒンジ部２Ａ，２Ｂの閉じられた状態がロックされる。
【００４６】
この際、各側辺部３Ａ，３Ｂ，４Ａ，４Ｂに形成された各突条３ＰＬ，４ＰＬの突出量は、ヒンジ部２Ａ，２Ｂに近くなるにつれて小さくなる。また、こうした各突条３ＰＬ，４ＰＬは、封止面３Ｓ，４Ｓのうち、屈曲部３ＡＥ，３ＢＥ，４ＡＥ，４ＢＥを除く領域に形成されている。そのため、ヒンジ部２Ａ，２Ｂが閉じられるときには、上側突条３ＰＬと下側突条４ＰＬとがヒンジ部２Ａ，２Ｂの近傍において互いに干渉することがない。それゆえに、これら各突条３ＰＬ，４ＰＬの全体が、同じ程度の押圧力によって互いに押圧されることとなる。
【００４７】
また、一対のヒンジ部２Ａ，２Ｂとは、そもそも封止の対象となる領域の外側に配置される部分である。そして、こうした一対のヒンジ部２Ａ，２Ｂの近傍である屈曲部３ＡＥ，３ＢＥ，４ＡＥ，４ＢＥも、包装袋ＰＧを封止することに直接的に機能させ難い部分である。それゆえに、屈曲部３ＡＥ，３ＢＥ，４ＡＥ，４ＢＥには、各突条３ＰＬ，４ＰＬが形成されていないものの、包装袋ＰＧの開口部をその全体にわたって封止することが可能であって、そして、ヒンジ部２Ａ，２Ｂを閉じることを容易にすることが可能でもある。
【００４８】
また、この際、ロック部２Ｋは、一対のヒンジ部２Ａ，２Ｂから最も離れた位置において、一対の挟持部３，４を互いにロックしている。このような構成によれば、ロック部２Ｋによる係止力が、一対の挟持部３，４の間に効果的に作用するようになる。言い換えれば、一対の挟持部３，４をロックするためにロック部２Ｋに必要とされる力が、所謂梃子の原理によって軽減されることになる。それゆえに、第１上側側辺部３Ａ及び第１下側側辺部４Ａにロック部２Ｋが設けられる場合に比べて、ロック部２Ｋに求められる堅牢性を抑えることができる。
【００４９】
なお、上述のように、係止部３Ｋは上側挟持部３に設けられ、被係止部４Ｋは下側挟持部４に設けられている。すなわち、一対の挟持部３，４をロックするロック部２Ｋは、該一対の挟持部３，４と一体となるように設けられている。このような構成とすれば、ロック部２Ｋを別途管理する手間を省略することができるという効果が得られる。ひいては、ロック部２Ｋの紛失を抑制することができるという効果が得られる。そして、ロック部２Ｋを一対の挟持部３，４と共に一体成形することができるため、製造コストを抑えることができるという効果も得られる。
【００５０】
以上、本実施形態によれば、以下列記するような効果が得られるようになる。
（１）Ｕ字形状に形成された上側挟持部３の各側辺部３Ａ，３Ｂ及び上側中間辺部３Ｍと、Ｕ字形状に形成された下側挟持部４の各側辺部４Ａ，４Ｂ及び下側中間辺部４Ｍとが、これらに対応する包装袋ＰＧの開口部を連続して挟持することとなる。それゆえに、包装袋ＰＧにおける開口部の形状が、連続する三辺によって囲まれるような形状であっても、これら一対の挟持部３，４によって上記開口部を封止することが可能である。
【００５１】
（２）上側挟持部３における両屈曲部３ＡＥ，３ＢＥの間隔と、下側挟持部４における両屈曲部４ＡＥ，４ＢＥの間隔とが、ヒンジ部２Ａ，２Ｂに向けて次第に大きくなる。それゆえに、一対のヒンジ部２Ａ，２Ｂが包装袋ＰＧの表面からはみ出ることが容易なものともなる。また、各側辺部３Ａ，３Ｂ，４Ａ，４Ｂのうち、ヒンジ部から離れた部位が包装袋ＰＧの表面上に配置されやすくもなる。
【００５２】
（３）一対のヒンジ部が閉じられた際には、挟持突部である各突条３ＰＬ，４ＰＬによって包装袋ＰＧの上側フィルムＦＦ及び下側フィルムＦＢが押圧されることになる。このような各突条３ＰＬ，４ＰＬによる押圧によれば、封止面３Ｓ，４Ｓによる押圧と比べて、包装袋ＰＧにて押圧される面積が小さくなる。それゆえに、ロック部２Ｋのロックによって一対の挟持部３，４の間に作用する押圧力が同じであるという前提では、包装袋ＰＧの開口部における封止性を高めることが可能である。
【００５３】
（４）上述した袋封止用クリップ１によれば、上側突条３ＰＬ及び下側突条４ＰＬの突出量がヒンジ部２Ａ，２Ｂに近くなるに連れて小さくなる。それゆえに、上記突出量が小さくなる分、包装袋ＰＧの封止性を確保しつつ、ヒンジ部２Ａ，２Ｂを閉じることを容易にすることが可能である。
【００５４】
（５）上側突条３ＰＬ及び下側突条４ＰＬの断面形状は、円弧状となるように形成されている。そのため、包装袋ＰＧが封止される際には、包装袋ＰＧが上側突条３ＰＬ及び下側突条４ＰＬのどの部分と接触するかに因らず、上側突条３ＰＬ及び下側突条４ＰＬの断面において、包装袋ＰＧが点支持されるようになる。それゆえに、前記開口部を封止する圧力を高めることが可能である。
【００５５】
（６）ロック部２Ｋが一対の中間辺部３Ｍ，４Ｍをロックするため、一対の挟持部３，４をロックするためにロック部２Ｋに必要とされる力が、所謂梃子の原理によって軽減されることになる。それゆえに、ロック部２Ｋが各側辺部３Ａ，３Ｂ，４Ａ、４Ｂをロックする場合に比べて、ロック部２Ｋに求められる堅牢性を抑えることが可能である。
【００５６】
（７）ロック部２Ｋと一対の挟持部３，４とが一体化されている。そのため、ロック部２Ｋを別途管理する手間を省略することが可能である。ひいては、ロック部２Ｋの紛失を抑制することが可能である。そして、ロック部２Ｋを一対の挟持部３，４と共に一体成形することが可能であるため、製造コストを抑えることも可能である。
【００５７】
なお、上記実施形態は、以下のように変更して実施することもできる。
・ロック部２Ｋは、一対の挟持部３，４と別体として形成されていてもよい。要は、ロック部２Ｋによって、ヒンジ部が閉じられるのであればよい。このような構成であっても、上記（１）〜（６）に準じた効果を得ることができる。
【００５８】
・各中間辺部３Ｍ，４Ｍにロック部２Ｋが形成され、該ロック部２Ｋによって各中間辺部３Ｍ，４Ｍが互いにロックされる。これを変更して、各側辺部３Ａ，４Ａにロック部２Ｋが形成され、又は各側辺部３Ｂ，４Ｂにロック部２Ｋが形成され、該ロック部２Ｋによって、各側辺部３Ａ，４Ａ、又は各側辺部３Ｂ，４Ｂがロックされる構成であってもよい。要は、ヒンジ部の閉じられた状態がロック部２Ｋによってロックされる構成であればよ
く、ロック部２Ｋの位置やロック部２Ｋの数量とは、袋封止用クリップ１の形状や包装袋ＰＧの形状や厚さなどに応じて適宜変更することが可能である。
【００５９】
・ロック部２Ｋは、係止突部３ＫＰ及び被係止突起４ＫＰが互いに係止することによってロックされる。これに限らず、ロック部２Ｋとは、ヒンジ部の閉じられた状態がロックされる構造であれば足りる。例えば、ロック部２Ｋは、係止部３Ｋと被係止部４Ｋとの結合がこれらの係止力を調整することができる多段階ロック構造となる構成であってもよい。このような構成であっても、上記（１）〜（７）に準じた効果を得ることができる。
【００６０】
・各突条３ＰＬ，４ＰＬは、断面円弧形状となるようにしたがこれに限られない。断面楔形状であっても、断面台形形状であってもよい。このような構造であっても、断面円弧形状の場合に比べて包装袋ＰＧの開口部を封止する圧力が下がるものの、上記（１）〜（４），（６），（７）に準じた効果を得つつ、各突条３ＰＬ，４ＰＬによって開口部が直接封止されているため、十分な封止力を得ることができる。
【００６１】
・封止面３Ｓの内縁に沿って上側突条３ＰＬが突設され、封止面４Ｓの内縁に沿って下側突条４ＰＬが突設されるとしたが、これに限られない。上側突条３ＰＬ及び下側突条４ＰＬの少なくとも一方が突設されていればよい。また、上側突条３ＰＬはそのまま突設し、下側突条４ＰＬに代えて凹条を凹設してもよく、その逆の構成としてもよい。また、封止面３Ｓの外縁に沿って上側突条３ＰＬが突設され、封止面４Ｓの外縁に沿って下側突条４ＰＬが突設されるとしてもよい。このような構成であっても、上記（１）〜（７）に準じた効果を得ることができる。
【００６２】
・各突条３ＰＬ，４ＰＬは、封止面３Ｓ，４Ｓにおいて、それぞれ鋸歯状や、波型状に設けるようにしてもよい。このような構成とすれば、上側突条３ＰＬと上側フィルムＦＦとの接触長さ、及び下側突条４ＰＬと下側フィルムＦＢとの接触長さを稼ぐことができるため、上記（１）〜（７）に準じた効果を得つつ、開口部の封止効果を高めることができる。
【００６３】
・ヒンジ部２Ａ，２Ｂに近づくにつれて、各突条３ＰＬ，４ＰＬの突出量が小さくなるようにしたが、これに限られない。ヒンジ部２Ａ，２Ｂにおいても、封止面３Ｓ，４Ｓが離間するように間隔を保ちつつ一対の挟持部３，４を連結させるとともに、各突条３ＰＬ，４ＰＬの突出量がどの部分においても一定となるように形成してもよい。このとき、上記間隔は、各突条３ＰＬ，４ＰＬの突出量の二倍の大きさとなるようにすることが望ましい。このような構成とすれば、ヒンジ部２Ａ，２Ｂからの距離に比例して、各突条３ＰＬ，４ＰＬの突出量が漸増するように形成することなく、上記（１），（２），（３），（５）〜（７）に準じた効果を得ることができる。
【００６４】
・屈曲部３ＡＥ，３ＢＥ，４ＡＥ，４ＢＥは、ヒンジ部２Ａ，２Ｂに向けて、屈曲部３ＡＥ，３ＢＥの間隔、及び屈曲部４ＡＥ，４ＢＥの間隔が次第に大きくなるように折り曲げられている。これを変更して、屈曲部３ＡＥ，３ＢＥ，４ＡＥ，４ＢＥの近傍が、平面視にて階段状、あるいは弓状に形成されていてもよい。要は、一対の挟持部３，４の各々における各屈曲部３ＡＥ，３ＢＥ，４ＡＥ，４ＢＥでは、一対の側辺部３Ａ，３Ｂの間隔、及び一対の側辺部４Ａ，４Ｂの間隔がヒンジ部２Ａ，２Ｂまで大きくなる構成であればよい。
【００６５】
・各突条３ＰＬ，４ＰＬは、一対の挟持部３，４と別の材質、例えばゴム等の弾性部材によって形成されるとしてもよい。このような構成とすれば、各突条３ＰＬ，４ＰＬの形状を弾性変形させることができるため、ヒンジ部２Ａ，２Ｂに近づくにつれて各突条３ＰＬ，４ＰＬの突出量が小さくなるようにすることなく、上記（１）〜（３），（５）〜（
７）に準じた効果を得ることができる。
【００６６】
・上側挟持部３の側辺部３Ａ，３Ｂ、並びに、下側挟持部４の側辺部４Ａ，４Ｂは、一体構造であるとしたがこれに限られない。左側の側辺部３Ａ，４Ａ、並びに右側の側辺部３Ｂ，４Ｂを伸縮自在となるように、例えばピストン−シリンダ構造等、複数の部材が互いにスライド移動することができるような構造にしてもよい。また、このようなスライド構造を上側中間辺部３Ｍ及び下側中間辺部４Ｍに設けて、挿入口幅２ＷＪ及び袋幅Ｗを伸縮自在な構成とするようにしてもよい。このような構成とすれば、上記（１）〜（７）に準じた効果を得つつ、多様な大きさの開口部を封止することができるようになる。
【００６７】
・屈曲部３ＡＥ，３ＢＥ，４ＡＥ，４ＢＥにおいて、上側挟持部３が下側挟持部４によって軸支されていてもよいし、下側挟持部４が上側挟持部３によって軸支されていてもよい。要は、一対の挟持部３，４は、ヒンジ部２Ａ，２Ｂにおいて、ヒンジ部をなすように連結されていれば足りる。
【符号の説明】
【００６８】
Ｃ…内容物、Ｗ…袋幅、ＦＦ…上側フィルム、ＦＢ…下側フィルム、Ｌ１，Ｌ２…間隔、Ｐ１，Ｐ２…突出量、ＰＡ…第１辺、ＰＢ…第２辺、ＰＧ…包装袋、ＰＭ…中間辺、ＰＡＥ…隅、１，５０…袋封止用クリップ、２Ａ，２Ｂ…ヒンジ部、２Ｋ…ロック部、２ＷＪ…挿入口幅、２ＷＳ…封止幅、３…上側挟持部、３Ａ…第１上側側辺部、３Ｂ…第２上側側辺部、３Ｍ…上側中間辺部、３Ｓ…封止面、３ＡＥ，３ＢＥ，４ＡＥ，４ＢＥ…屈曲部、３Ｋ…係止部、３ＫＪ…連結部、３ＫＰ…係止突部、３ＰＬ…上側突条、４…下側挟持部、４Ａ…第１下側側辺部、４Ｂ…第２下側側辺部、４Ｋ…被係止部、４Ｍ…下側中間辺部、４Ｓ…封止面、４ＡＰ…任意点、４ＫＰ…被係止突起、４ＰＬ…下側突条、４ＰＰ…解除片、４ＳＰ…基端、３０…係止部本体、３０ＡＦ…内側面、３０ＢＦ…外側面、３１…ロック辺、３２…貫通窓、５１，５２…挟持杆、５１Ｓ，５２Ｓ…対向面。
【図１】
0005368488.tif 000002
【図２】
0005368488.tif 000003
【図３】
0005368488.tif 000004
【図４】
0005368488.tif 000005
【図５】
0005368488.tif 000006
【図６】
0005368488.tif 000007
【図７】
0005368488.tif 000008